(57)【要約】【課題】仕切られた複数の収容空間の各々に収容した収容物が当該複数の収容空間の間を移動することなく、かつ、複数の収容空間を無駄なく利用可能な鞄または袋物を提供する。【解決手段】鞄１の背面壁１１Ｂには蓋体１１１Ｂにより開閉自在な第１の開口部が設けられている。また、鞄１の右側面壁１１Ｒには蓋体１１１Ｒにより開閉自在な第２の開口部が設けられている。鞄１の内部には、布等の可撓性のシート状部材である仕切り部が、第１の開口部を通じて収容物の出し入れが可能な第１の収容空間と、第２の開口部を通じて収容物の出し入れが可能な第２の収容空間を仕切るように配置されている。仕切り部の形状と位置は、第１の収容空間および第２の収容空間の収容物の形状および体積に応じて自由に変化する。仕切り部の外縁は全周に渡り本体部に連結されており、第１の収容空間と第２の収容空間の間で収容物が移動することがない。【選択図】図１
2018000350.tif 000002
【特許請求の範囲】
【請求項１】
内部に収容空間を形成する箱状または袋状の部材である本体部と、
前記収容空間を第１の収容空間と第２の収容空間に仕切る可撓性のシート状の部材である仕切り部と
を備え、
前記本体部には、前記第１の収容空間と前記本体部の外部とを連通させる第１の開口部が設けられ、前記本体部は、前記第１の開口部を開閉するための第１の蓋体を有し、
前記本体部には、前記第２の収容空間と前記本体部の外部とを連通させる第２の開口部が設けられ、前記本体部は、前記第２の開口部を開閉するための第２の蓋体を有し、
前記仕切り部は、前記第１の収容空間および前記第２の収容空間に収容される収容物の形状および体積に応じて変形し、かつ、外縁が全周に渡り前記本体部に、他の部材を介さず、もしくは他の部材を介して、連結されている
鞄または袋物。
【請求項２】
前記仕切り部は、前記第２の収容空間に収容物が収容されておらず前記第１の収容空間が収容物により満たされている状態において前記第２の蓋体に内側から接する部分に遊びを生じさせるマチ部材を有する
請求項１に記載の鞄または袋物。
【発明の詳細な説明】
【技術分野】
【０００１】
本発明は鞄または袋物に関する。
【背景技術】
【０００２】
鞄または袋物のあるものは、本体の内部に形成される収容空間を仕切り板または仕切り布により複数の収容空間に仕切ることができる。例えば、特許文献１には、本体の内壁面に設けられた櫛歯形の凹凸に十字状に２枚の仕切り材を嵌め込むことにより、収容空間を４つに仕切ることができるトランクが開示されている。
【０００３】
また、鞄または袋物のあるものは、収容物の出し入れを行うための開口部を複数有している。例えば、特許文献２には、２枚の仕切りにより仕切られた上段、中段、下段の３つの収容空間を有し、上段の収容空間には本体の上面に設けられたファスナーを開くことにより生じる開口部を通じて収容物の出し入れが可能であり、中段および下段の収容空間には本体の側面に設けられた開口蓋部材を開くことにより生じる開口部を通じて収容物の出し入れが可能なバッグが開示されている。
【先行技術文献】
【特許文献】
【０００４】
【特許文献１】特開平６−３６９１０号公報
【特許文献２】特開２００７−３７７８０号公報
【発明の概要】
【発明が解決しようとする課題】
【０００５】
特許文献１に記載のトランクは、トランク内において仕切り材が蓋と連結されていないため、蓋が閉じられた状態においてトランクが持ち運ばれる際、トランク内に収容されている小さい収容物が仕切り材により仕切られた複数の収容空間の間を移動する可能性がある。従って、ユーザはトランクを開いて目的の収容物を取り出したい場合、思った場所に目的の収容物がなく、当該収容物をトランク内において探す必要が生じる場合があり、不便である。
【０００６】
特許文献２に記載のバッグにおいては、仕切りにより上段、中段、下段の収容空間が完全に仕切られているため、バッグが持ち運ばれる際、それらの収容空間の間を収容物が移動する危険性はない。ただし、特許文献２に記載のバッグにおいては、バッグ本体の内部に形成される複数の収容空間の形状および容量を収容物の形状および体積に応じて変化させることができない。従って、ユーザが収容したいと思う収容物の体積の総量が上段、中段、下段の収容空間の容量の合計より小さくても、それらの収容物の全てをバッグに収容しきれない場合がある。すなわち、収容空間の一部に利用できない無駄が生じる場合がある。
【０００７】
本発明は、上記の事情に鑑み、仕切られた複数の収容空間の各々に収容した収容物が当該複数の収容空間の間を移動することなく、かつ、複数の収容空間を無駄なく利用可能な鞄または袋物を提供することを目的とする。
【課題を解決するための手段】
【０００８】
上述した課題を解決するため、本発明は、内部に収容空間を形成する箱状または袋状の部材である本体部と、前記収容空間を第１の収容空間と第２の収容空間に仕切る可撓性のシート状の部材である仕切り部とを備え、前記本体部には、前記第１の収容空間と前記本体部の外部とを連通させる第１の開口部が設けられ、前記本体部は、前記第１の開口部を開閉するための第１の蓋体を有し、前記本体部には、前記第２の収容空間と前記本体部の外部とを連通させる第２の開口部が設けられ、前記本体部は、前記第２の開口部を開閉するための第２の蓋体を有し、前記仕切り部は、前記第１の収容空間および前記第２の収容空間に収容される収容物の形状および体積に応じて変形し、かつ、外縁が全周に渡り、他の部材を介さず、もしくは他の部材を介して、前記本体部に連結されている鞄または袋物を第１の態様として提案する。
【０００９】
また、本発明は、上記の第１の態様において、前記仕切り部は、前記第２の収容空間に収容物が収容されておらず前記第１の収容空間が収容物により満たされている状態において前記第２の蓋体に内側から接する部分に遊びを生じさせるマチ部材を有する、という構成を第２の態様として提案する。
【発明の効果】
【００１０】
本発明の上記の第１の態様にかかる鞄または袋物によれば、第１の収容空間と第２の収容空間の各々に収容される収容物の形状および体積に応じて仕切り部が変形するため、本体部の内部に形成される収容空間が無駄なく利用可能である。また、本発明の上記の第１の態様にかかる鞄または袋物によれば、仕切り部の外縁が全周に渡り、他の部材を介さず、もしくは他の部材を介して、本体部に連結されているため、第１の収容空間と第２の収容空間の間を収容物が移動することがない。
【００１１】
本発明の上記の第２の態様にかかる鞄または袋物によれば、第２の開口部の周辺に連結された仕切り部のマチ部材が遊びを有するため、第１の収容空間と第２の収容空間の形状および容量が変更される際、仕切り部の変形がスムーズに行われる。
【図面の簡単な説明】
【００１２】
【図１】本発明の一実施形態にかかる鞄の外観を示した図。
【図２】本発明の一実施形態にかかる鞄の背面壁に設けられた蓋体が背面外側にめくられた状態を示した図。
【図３】本発明の一実施形態にかかる鞄の右側面壁に設けられた蓋体が右側面外側にめくられた状態を示した図。
【図４】本発明の一実施形態にかかる鞄の内部に配置される仕切り部の形状および位置が変化する様子を例示した図。
【図５】本発明の一実施形態にかかる仕切り部を含む部材の展開図。
【図６】本発明の一実施形態にかかる仕切り部を含む部材が本体部の内側に連結されている位置を示した図。
【図７】本発明の一実施形態にかかる仕切り部を含む部材が本体部の内側に連結されている位置を示した図。
【図８】本発明の一変形例にかかる鞄の右側面図。
【図９】本発明の一変形例にかかる鞄の内部に配置される仕切り部を含む部材の形状および位置が変化する様子を例示した図。
【図１０】本発明の一変形例にかかる仕切り部を含む部材の展開図。
【発明を実施するための形態】
【００１３】
［実施形態］
以下に、本発明の一実施形態にかかる鞄１を説明する。図１は鞄１の外観を示した図である。図１（Ａ）は鞄１の正面図、図１（Ｂ）は鞄１の平面図、図１（Ｃ）は鞄１の底面図、図１（Ｄ）は鞄１の左側面図、図１（Ｅ）は鞄１の右側面図、図１（Ｆ）は鞄１の背面図である。
【００１４】
なお、以下の説明において、図１（Ａ）において主として見える面を鞄１の正面、図１（Ｆ）において主として見える面を鞄１の背面、図１（Ｂ）において主として見える面を鞄１の上面、図１（Ｃ）において主として見える面を鞄１の底面、図１（Ｄ）において主として見える面を鞄１の左側面、図１（Ｅ）において主として見える面を鞄１の右側面という。また、鞄１の上下とは、図１（Ａ）に示される状態の鞄１の上下を意味し、鞄１の左右とは、図１（Ａ）に示される状態の鞄１の左右（鞄１の正面から見た左右）を意味するものとする。ただし、これらの定義は任意に変更可能である。例えば、図１（Ｅ）において主として見える面を鞄１の上面とし、図１（Ｄ）において主として見える面を鞄１の底面とする等、他の定義が採用されてもよい。
【００１５】
鞄１は、正面に配置される正面壁１１Ｆ、背面に配置される背面壁１１Ｂ、上面に配置される上面壁１１Ｔ、底面に配置される底面壁１１Ｕ、左側面に配置される左側面壁１１Ｌ、および右側面に配置される右側面壁１１Ｒを備える。正面壁１１Ｆと背面壁１１Ｂは互いに対向する位置に配置されており、上面壁１１Ｔと底面壁１１Ｕは互いに対向する位置に配置されており、左側面壁１１Ｌと右側面壁１１Ｒは互いに対向する位置に配置されている。
【００１６】
正面壁１１Ｆ、背面壁１１Ｂ、上面壁１１Ｔ、底面壁１１Ｕ、左側面壁１１Ｌ、および右側面壁１１Ｒは互いに隣接する部材どうしが連結されており、全体として概ね直方体の箱体を形成している。正面壁１１Ｆ、背面壁１１Ｂ、上面壁１１Ｔ、底面壁１１Ｕ、左側面壁１１Ｌ、および右側面壁１１Ｒにより形成される箱体を以下、本体部１１という。本体部１１は内部に収容空間として利用される中空部を有する。
【００１７】
本実施形態において、本体部１１の素材は布であり、ある程度の柔軟性を有しているが、内部に収容物が収容されていない状態においても、箱状の形状を維持できる程度の剛性を有している。本体部１１は、例えば型に従いカットされた１枚以上の布を箱状に縫い合わせることにより製造されている。
【００１８】
図１（Ｆ）に示されるように、背面壁１１Ｂには、概ね「コ」の字を描く切れ目ＳＢが設けられており、図１（Ｅ）に示されるように、この切れ目ＳＢを開閉自在に連結するようにスライドファスナー１２Ｂが配置されている。
【００１９】
図２は、スライドファスナー１２Ｂがスライドされ、背面壁１１Ｂに設けられた切れ目の連結が解かれた状態で、当該切れ目の内側部分である蓋体１１１Ｂが鞄１の背面外側にめくられた状態を示した図である。なお、図２においては、後述する肩ベルトおよび持ち手の図示を省略している。以下、図２に示される蓋体１１１Ｂの状態を「開状態」と呼び、図１（Ｆ）に示される蓋体１１１Ｂの状態を「閉状態」と呼ぶ。
【００２０】
蓋体１１１Ｂが開状態のとき、背面壁１１Ｂには開口部１１２Ｂが生じる。ユーザは開口部１１２Ｂを通じて本体部１１の内部の収容空間に収容物の出し入れを行うことができる。
【００２１】
また、図１（Ｅ）に示されるように、右側面壁１１Ｒは、概ね「Ｕ」の字を描く切れ目ＳＲが設けられており、図１（Ｆ）に示されるように、この切れ目ＳＲを開閉自在に連結するようにスライドファスナー１２Ｒが配置されている。
【００２２】
図３は、スライドファスナー１２Ｒがスライドされ、右側面壁１１Ｒに設けられた切れ目の連結が解かれた状態で、当該切れ目の内側部分である蓋体１１１Ｒが鞄１の右側面外側にめくられた状態を示した図である。なお、図３においても、後述する肩ベルトおよび持ち手の図示を省略している。以下、図３に示される蓋体１１１Ｒの状態を「開状態」と呼び、図１（Ｅ）に示される蓋体１１１Ｒの状態を「閉状態」と呼ぶ。
【００２３】
蓋体１１１Ｒが開状態のとき、右側面壁１１Ｒには開口部１１２Ｒが生じる。ユーザは開口部１１２Ｒを通じて本体部１１の内部の収容空間に収容物の出し入れを行うことができる。
【００２４】
図１（Ｆ）等に示されるように、鞄１は、背面の左右の各々に配置された左肩ベルト１３Ｌと右肩ベルト１３Ｒを備える。以下、左肩ベルト１３Ｌと右肩ベルト１３Ｒを「肩ベルト１３」と総称する。
【００２５】
左肩ベルト１３Ｌは、背面壁１１Ｂの左上側の位置（背面壁１１Ｂに向かって右上側の位置）に一方の端部が取り付けられた帯状部材１３１Ｌと、左側面壁１１Ｌの下側の位置に一方の端部が取り付けられた帯状部材１３２Ｌと、帯状部材１３１Ｌと帯状部材１３２Ｌとを連結する連結部材１３３Ｌを有する。連結部材１３３Ｌは例えばコキ、移動カン等の名称で呼ばれる部材であり、ユーザは帯状部材１３１Ｌに対する帯状部材１３２Ｌの連結位置を変更することで、左肩ベルト１３Ｌの長さを調整することができる。
【００２６】
右肩ベルト１３Ｒは、背面壁１１Ｂの右上側の位置（背面壁１１Ｂに向かって左上側の位置）に一方の端部が取り付けられた帯状部材１３１Ｒと、右側面壁１１Ｒの下側の位置に一方の端部が取り付けられた帯状部材１３２Ｒと、帯状部材１３１Ｒと帯状部材１３２Ｒとを連結する連結部材１３３Ｒを有する。連結部材１３３Ｒは例えばコキ、移動カン等の名称で呼ばれる部材であり、ユーザは帯状部材１３１Ｒに対する帯状部材１３２Ｒの連結位置を変更することで、右肩ベルト１３Ｒの長さを調整することができる。
【００２７】
図１（Ａ）等に示されるように、鞄１は、右側面の正面側および背面側の位置に各々配置された持ち手１４Ｆと持ち手１４Ｂを備える。以下、持ち手１４Ｆと持ち手１４Ｂを「持ち手１４」と総称する。
【００２８】
ユーザは、左肩ベルト１３Ｌを左肩に当接させ、右肩ベルト１３Ｒを右肩に当接させて、鞄１を背負うことができる。すなわち、ユーザは鞄１をリュック型の鞄として用いることができる。また、ユーザは持ち手１４を手で握って鞄１を持ち運ぶこともできる。
【００２９】
上述したように、ユーザは背面壁１１Ｂに配置されているスライドファスナー１２Ｂをスライドさせ、蓋体１１１Ｂを開状態にすることで、開口部１１２Ｂを通じて本体部１１の内部の収容空間に対する収容物の出し入れを行うことができる。また、ユーザは右側面壁１１Ｒに配置されているスライドファスナー１２Ｒをスライドさせ、蓋体１１１Ｒを開状態にすることで、開口部１１２Ｒを通じて本体部１１の内部の収容空間に対する収容物の出し入れを行うことができる。
【００３０】
鞄１は、開口部１１２Ｂを通じてユーザが収容物の出し入れを行うことができる収容空間と、開口部１１２Ｒを通じてユーザが収容物の出し入れを行うことができる収容空間とを分離するシート状部材である仕切り部（後述）を備える。以下、仕切り部により分離される本体部１１の内部の収容空間のうち開口部１１２Ｂを通じて収容物の出し入れが可能な部分を収容空間Ｓ１、開口部１１２Ｒを通じて収容物の出し入れが可能な部分を収容空間Ｓ２と呼ぶ。すなわち、収容空間Ｓ１は開口部１１２Ｂにより本体部１１の外部と連通し、収容空間Ｓ２は開口部１１２Ｒにより本体部１１の外部と連通する。
【００３１】
収容空間Ｓ１と収容空間Ｓ２を仕切る仕切り部の素材は布であり、柔軟性を有している。すなわち、仕切り部は可撓性のシート状部材である。そのため、本体部１１の内部において、仕切り部の形状および位置は収容空間Ｓ１と収容空間Ｓ２の各々に収容される収容物の形状および体積に応じて様々に変化する。
【００３２】
図４は、収容空間Ｓ１と収容空間Ｓ２の各々に収容される収容物の形状および体積に応じて部材１５に含まれる仕切り部の形状および位置が本体部１１の内部において変化する様子を例示した図である。図４（Ａ）〜（Ｃ）はいずれも、鞄１を右側から見た場合の、部材１５の位置を示している。図４（Ａ）〜（Ｃ）において、背面壁１１Ｂが上側、正面壁１１Ｆが下側に位置している。
【００３３】
図４（Ａ）は、収容空間Ｓ２に収容物が収容されておらず、収容空間Ｓ１が収容物で満たされている状態を示している。図４（Ｂ）は、収容空間Ｓ１と収容空間Ｓ２の各々に収容物が収容されている状態を示している。図４（Ｃ）は、収容空間Ｓ１と収容空間Ｓ２の各々に収容物が収容されているが、図４（Ｂ）の状態と比較し、収容空間Ｓ１に収容されている収容物の体積が大きく、収容空間Ｓ２に収容されている収容物の体積が小さい状態を示している。
【００３４】
図５は、部材１５の展開図である。部材１５は、中央部材１５１、右側方部材１５２Ｒ、および左側方部材１５２Ｌを有する。中央部材１５１は、部材１５のうち、図４（Ａ）の状態、すなわち、収容空間Ｓ２に収容物が収容されておらず、収容空間Ｓ１が収容物で満たされている状態において、上面壁１１Ｔ、正面壁１１Ｆ、および底面壁１１Ｕに内側から接する部分を構成する。右側方部材１５２Ｒは、部材１５のうち、図４（Ａ）の状態において、右側面壁１１Ｒに内側から接する部分を構成する。左側方部材１５２Ｌは、部材１５のうち、図４（Ａ）の状態において、左側面壁１１Ｌに内側から接する部分を構成する。
【００３５】
部材１５は、中央部材１５１の縁辺Ｌ１と右側方部材１５２Ｒの縁辺Ｌ２が互いに縫い合わせ等により連結され、中央部材１５１の縁辺Ｌ３と右側方部材１５２Ｒの縁辺Ｌ４が互いに連結され、中央部材１５１の縁辺Ｌ５と左側面壁１１Ｌの縁辺Ｌ６が互いに連結され、中央部材１５１の縁辺Ｌ７と左側面壁１１Ｌの縁辺Ｌ８が互いに連結されて、本体部１１の背面壁１１Ｂを除く５つの壁に内側からフィットする箱状に成形された状態で、本体部１１の内側に配置されている。
【００３６】
図６および図７は、箱状に成形された部材１５が本体部１１の内側に連結されている位置を示した図である。図６は、図４（Ａ）と同様に、鞄１を右側から見た場合の部材１５（中央部材１５１）の位置を示している。図６において、背面壁１１Ｂが上側、正面壁１１Ｆが下側に位置している。図７は、鞄１を上側から見た場合の部材１５の位置を示している。図７において、背面壁１１Ｂが上側、正面壁１１Ｆが下側に位置している。
【００３７】
部材１５は、まず、中央部材１５１の縁辺Ｌ９において上面壁１１Ｔの背面側の端辺に連結されている。また、部材１５は、中央部材１５１の縁辺Ｌ１３において底面壁１１Ｕの背面側の端辺に連結されている。さらに、部材１５は、中央部材１５１のラインＬ１１において、正面壁１１Ｆの中腹に連結されている。ラインＬ１１の上下方向（図６の左右方向）における位置は、概ね開口部１１２Ｒの下端の位置である。
【００３８】
中央部材１５１のうち縁辺Ｌ９からラインＬ１１に至る部分と、右側方部材１５２Ｒおよび左側方部材１５２Ｌのうち中央部材１５１の縁辺Ｌ９からラインＬ１１に至る部分に隣接する領域（図５において斜線を付した部分）が、収容空間Ｓ１と収容空間Ｓ２を仕切る仕切り部を構成する。
【００３９】
中央部材１５１のラインＬ１０は、収容空間Ｓ２に収容物が収容されておらず、収容空間Ｓ１が収容物で満たされている状態において、上面壁１１Ｔと正面壁１１Ｆの連結ラインに沿うラインである。部材１５はラインＬ１０において本体部１１に連結されていない。そのため、部材１５のうちラインＬ１１より上面側の部分（すなわち仕切り部）は、本体部１１の内部で自由にその形状を変化させることができる。
【００４０】
中央部材１５１のラインＬ１２は、正面壁１１Ｆと底面壁１１Ｕの連結ラインに沿うラインである。部材１５は、ラインＬ１２において本体部１１に連結されていても連結されていなくてもよい。
【００４１】
図７に示されるように、部材１５は、さらに、右側方部材１５２Ｒの縁辺Ｌ１４において右側面壁１１Ｒの背面側の端辺に連結されている。また、部材１５は、左側方部材１５２Ｌの縁辺Ｌ１７において左側面壁１１Ｌの背面側の端辺に連結されている。
【００４２】
右側方部材１５２Ｒと中央部材１５１の連結ラインであるラインＬ１５は、収容空間Ｓ２に収容物が収容されておらず、収容空間Ｓ１が収容物で満たされている状態において、右側面壁１１Ｒと正面壁１１Ｆの連結ラインに沿うラインである。部材１５は、ラインＬ１５のうちラインＬ１１よりも底面側の部分（図５に示すラインＬ１５Ｕ）において本体部１１に連結され、ラインＬ１１よりも上面側の部分（図５に示すラインＬ１５Ｔ）において本体部１１に連結されていない。
【００４３】
左側方部材１５２Ｌと中央部材１５１の連結ラインであるラインＬ１６は、収容空間Ｓ２に収容物が収容されておらず、収容空間Ｓ１が収容物で満たされている状態において、左側面壁１１Ｌと正面壁１１Ｆの連結ラインに沿うラインである。部材１５は、ラインＬ１６のうちラインＬ１１よりも底面側の部分（図５に示すラインＬ１６Ｕ）において本体部１１に連結され、ラインＬ１１よりも上面側の部分（図５に示すラインＬ１６Ｔ）において本体部１１に連結されていない。
【００４４】
上述のように、右側方部材１５２Ｒと左側方部材１５２ＬはラインＬ１１より上面側の部分において本体部１１に連結されていないため、部材１５のうちラインＬ１１より上面側の部分（すなわち仕切り部）は、図４に示されるように、自由にその形状を変化させることができる。また、右側方部材１５２ＲがラインＬ１１より上面側の部分において本体部１１に連結されていないため、ユーザは蓋体１１１Ｒが開状態において、開口部１１２Ｒを通じて収容空間Ｓ２に対する収容物の出し入れを行うことができる。
【００４５】
ただし、部材１５はラインＬ１１において正面壁１１Ｆに連結されているため、収容空間Ｓ２の形状は制限を受け、その容量は最大でも図４（Ａ）に示される程度となる。このように、収容空間Ｓ２の容量が制限を受けることにより、比較的小さい収容物が収容空間Ｓ２に収容された場合、ユーザが当該収容物を収容空間Ｓ２において容易に探すことができる。
【００４６】
収容空間Ｓ２に収容物が収容されておらず、収容空間Ｓ１が収容物で満たされている状態において、右側方部材１５２Ｒのうち開口部１１２Ｒを塞ぎ、蓋体１１１Ｒに内側から接する部分には、開口部１１２Ｒの周辺において部材１５に遊びが生じるように、マチ部材１５２１が設けられている。マチ部材１５２１が生じる遊びにより、ユーザが例えば開口部１１２Ｒを通じて収容空間Ｓ２に収容物を入れる際、部材１５のラインＬ１１より上面側の部分（すなわち仕切り部）が図４（Ａ）の状態から図４（Ｂ）や図４（Ｃ）の状態に容易に変化する。また、マチ部材１５２１が生じる遊びにより、ユーザが例えば開口部１１２Ｂから収容空間Ｓ１に収容物を入れる際、部材１５のラインＬ１１より上面側の部分（すなわち仕切り部）が図４（Ｂ）の状態から図４（Ａ）や図４（Ｃ）の状態に容易に変化する。
【００４７】
上述した鞄１によれば、ユーザは収容空間Ｓ１と収容空間Ｓ２に収容物を区分して収容して持ち運ぶことができる。その際、収容空間Ｓ１と収容空間Ｓ２の各々に収容される収容物の形状や体積に応じて仕切り部の形状や位置が変化するため、ユーザは収容空間Ｓ１と収容空間Ｓ２を無駄なく利用することができる。
【００４８】
また、仕切り部の外縁のうち、縁辺Ｌ９と、縁辺Ｌ１４のうちラインＬ１１より上面側の部分と、縁辺Ｌ１７のうちラインＬ１１より上面側の部分と、ラインＬ１１は、本体部１１に他の部材を介さず連結されている。また、仕切り部の外縁のうち、図５において二点鎖線で示す右側方部材１５２Ｒを横切るライン（ラインＬ１１を右側方部材１５２Ｒ側に延長したライン）は、右側方部材１５２Ｒの当該ラインより下面側の部分を介して本体部１１に連結されている。また、仕切り部の外縁のうち、図５において二点鎖線で示す左側方部材１５２Ｌを横切るライン（ラインＬ１１を左側方部材１５２Ｌ側に延長したライン）は、左側方部材１５２Ｌの当該ラインより下面側の部分を介して本体部１１に連結されている。このように、仕切り部の外縁は全周に渡り、他の部材を介さずに、もしくは他の部材を介して、本体部１１に連結されている。
【００４９】
従って、鞄１の運搬中等において、収容空間Ｓ１の収容物が収容空間Ｓ２に移動したり、収容空間Ｓ２の収容物が収容空間Ｓ１に移動したりすることはない。そのため、ユーザが、気付かないうちに収容空間Ｓ１から収容空間Ｓ２へ移動した収容物を収容空間Ｓ１において探したり、気付かないうちに収容空間Ｓ２から収容空間Ｓ１へ移動した収容物を収容空間Ｓ２において探したりする不都合が生じない。
【００５０】
［変形例］
上述した鞄１は本発明の一実施形態であって、鞄１は本発明の技術的思想の範囲内において様々に変形され得る。以下にそれらの変形の例を示す。なお、以下に示す変形の例の２以上が適宜組み合わされてもよい。
【００５１】
（１）本体部１１は、少なくともその一部の領域において、複数のシート状部材の積層体により構成されてもよい。例えば、本体部１１が、鞄１の外殻を構成する表布と、当該表布を裏打ちする内布との２層構造や、表布と内布との間にクッション材を充填した３層構造等で構成されてもよい。例えば、本体部１１が複数のシート状部材の積層体で構成される場合、仕切り部は本体部１１を構成する複数のシート状部材の全てに連結される必要はなく、例えば内布のみに連結されてもよい。
【００５２】
（２）仕切り部は、少なくともその一部の領域において、複数のシート状部材の積層体により構成されてもよい。例えば、仕切り部が、背面壁１１Ｂに内側から接する表布と、背面壁１１Ｂ以外の本体部１１の壁に内側から接する裏布との２層構造や、表布と裏布との間にクッション材を充填した３層構造等で構成されてもよい。例えば、仕切り部が複数のシート状部材の積層体で構成される場合、本体部１１は仕切り部を構成する複数のシート状部材の全てに連結される必要はなく、例えば裏布のみに連結されてもよい。
【００５３】
（３）上述した実施形態における鞄１の形状、開口部の位置および数等は一例であって、様々に変更可能である。例えば、図８に示すように、右側面壁１１Ｒの蓋体１１１Ｒと異なる位置に、蓋体１１１Ｒと同様の蓋体１１１Ｒ２を設けて、本体部１１の内部に第３の収容空間である収容空間Ｓ３を形成する構成が採用されてもよい。この変形例にかかる鞄１においては、図９に示すように、ユーザは３つの収容空間の各々に収容物を区分して収容することができる。
【００５４】
図１０は、この変形例にかかる鞄１の部材１５の展開図である。この変形例において、中央部材１５１は上下方向における概ね蓋体１１１Ｒ２の上端位置のラインＬ１８において本体部１１に連結されている。また、部材１５は、ラインＬ１５のラインＬ１１とラインＬ１８の間の部分（図１０に示すラインＬ１５Ｍ）において本体部１１に連結され、その他の部分（図１０に示すラインＬ１５ＴおよびラインＬ１５Ｕ）においては本体部１１に連結されていない。また、部材１５は、ラインＬ１６のラインＬ１１とラインＬ１８の間の部分（図１０に示すラインＬ１６Ｍ）において本体部１１に連結され、その他の部分（図１０に示すラインＬ１６ＴおよびラインＬ１６Ｕ）においては本体部１１に連結されていない。さらに、部材１５は、ラインＬ１２において本体部１１に連結されていない。
【００５５】
また、収容空間Ｓ３に収容物が収容されておらず、収容空間Ｓ１が収容物で満たされている状態において、右側方部材１５２Ｒのうち蓋体１１１Ｒ２に内側から接する部分には、蓋体１１１Ｒ２が開状態において右側方部材１５２Ｒに生じる開口部の周辺において部材１５に遊びが生じるように、マチ部材１５２２が設けられている。そのため、ユーザによる収容空間Ｓ１と収容空間Ｓ３への収容物の出し入れに伴い、本体部１１の内部において部材１５のラインＬ１８より底面側の部分が自由に変形する。
【００５６】
この変形例において、部材１５のうちラインＬ１１より上面側の部分が収容空間Ｓ１と収容空間Ｓ２を仕切る仕切り部であり、部材１５のうちラインＬ１８より下面側の部分が収容空間Ｓ１と収容空間Ｓ３を仕切る仕切り部である。
【００５７】
また、上述した実施形態においては、ユーザが鞄１に対し収容物を出し入れするための開口部が背面壁１１Ｂと右側面壁１１Ｒに配置されている。これに代えて、または加えて、正面壁１１Ｆ、上面壁１１Ｔ、底面壁１１Ｕ、左側面壁１１Ｌのうちの１以上に、収容物の出し入れのための開口部と、当該開口部を覆う蓋体が設けられてもよい。すなわち、本体部１１の内部に形成される複数の収容空間の位置、方向、それらの収容空間が鞄１の外部と連通する開口部の位置等は様々に変更することができる。
【００５８】
（４）上述した実施形態における鞄１は、肩ベルト１３によりユーザが肩に背負うリュックとして使用でき、また、持ち手１４によりユーザが手に握って持ち運ぶ手持ち鞄としても使用できる。本発明にかかる鞄はこれらのタイプに限られず、例えば、肩ベルト１３を有さない手持ち鞄、持ち手１４を有さないリュック、底面壁１１Ｕの外側の背面側位置にキャスタを備えるトローリーバッグ等のいずれのタイプの鞄であってもよい。
【００５９】
また、上述した実施形態における鞄１は、内部に収容物が収容されていない状態においても箱状の形状を維持できる程度の剛性（準剛性）を有している。本発明は剛性または準剛性を有する手荷物収容具である鞄に限られず、柔軟性を有する手荷物収容具である袋物に適用されてもよい。すなわち、本体部１１が可撓性を有していてもよい。従って、本発明は、買物袋、旅行用衣類袋、ポーチ等に適用されてもよい。
【００６０】
また、上述した実施形態においては、鞄１はポケット、錠前等の付帯構造物を有さないが、鞄１がこれらの付帯構造物を有していてもよい。
【００６１】
（５）上述した実施形態において、鞄１の素材は布であるものとしたが、鞄１の素材は布に限られず、皮革、布、プラスチック、金属、これらのうちの２以上の組み合わせ等、様々に変更可能である。例えば、鞄１がスーツケース等の硬質の本体部１１を備えるタイプの鞄である場合、本体部１１の少なくとも一部に、プラスチックまたは金属等が用いられてもよい。また、仕切り部の素材は可撓性を有していれば布に限られず、例えばビニルシート等が仕切り部の素材として採用されてもよい。
【００６２】
（６）上述した実施形態において、蓋体１１１Ｂおよび蓋体１１１Ｒはスライドファスナー１２Ｂおよびスライドファスナー１２Ｒにより開閉される。鞄１が備える蓋体を開閉する機構はスライドファスナーを用いる機構に限られない。例えば、スナップ等により蓋体の開閉が行われてもよい。
【００６３】
（７）上述した実施形態において、鞄１を構成する部材間の連結の方法としては縫い合わせが想定されている。鞄１を構成する部材間の連結の方法は縫い合わせに限られず、接着、溶着、一体成形等のいずれの連結の方法が採用されてもよい。また、本願において「連結」という場合、収容物の移動の防止や収容空間の形状および容量の規制といった連結の目的を果たす限り、隙間を生じる連結であってもよい。例えば、縫い合わせによる連結においては、端部や角部等において縫製されない部分が生じる場合があるが、それらの縫製されない部分を一部に有する連結も、本発明における連結に含まれる。
【００６４】
（８）上述した実施形態において、鞄１が有する本体部１１は正面壁１１Ｆ、背面壁１１Ｂ、上面壁１１Ｔ、底面壁１１Ｕ、左側面壁１１Ｌ、右側面壁１１Ｒの６つの面で構成される。本体部１１の構成はこれに限られない。例えば、上面壁１１Ｔ、正面壁１１Ｆ、および底面壁１１Ｕに代えて、これらの複数の壁の区別のない１つの壁を有するように、本体部１１が構成されてもよい。
【００６５】
（９）上述した実施形態または変形例において示した、仕切り部および仕切り部を含む部材１５の形状、位置、サイズはあくまで例示であって、他の様々な形状、位置、サイズの組み合わせが採用され得る。例えば、上述した実施形態において、収容空間Ｓ１と収容空間Ｓ２を仕切る仕切り部は部材１５の一部として構成される。これに代えて、部材１５が図５において斜線を付した仕切り部のみで構成され、ラインＬ１１より下面側の部分を備えなくてもよい。その場合、図５において二点鎖線で示されるラインは、例えば本体部１１に直接、連結される。
【符号の説明】
【００６６】
１…鞄、１１…本体部、１３…肩ベルト、１４…持ち手、１５…部材
【図１】
2018000350.tif 000003
【図２】
2018000350.tif 000004
【図３】
2018000350.tif 000005
【図４】
2018000350.tif 000006
【図５】
2018000350.tif 000007
【図６】
2018000350.tif 000008
【図７】
2018000350.tif 000009
【図８】
2018000350.tif 000010
【図９】
2018000350.tif 000011
【図１０】
2018000350.tif 000012